(57)【要約】【課題】人工歯根部の内部への入り込む長さを抑えつつ単純な内部構造によって、しっかりとした回転防止を確保する。【解決手段】骨に埋設する人工歯根部１と、その人工歯根部の上部に連結するアバットメント２とを備える。上記人工歯根部の上端部に形成した断面非円形の嵌合凹部に対し、上記アバットメント下部に形成した断面非円形の嵌合凸部１４を嵌合して連結するインプラントである。上記嵌合凹部の嵌合面１１にテーパを付けると共に、上記嵌合凸部１４の嵌合面１４ａにもテーパを付ける。【選択図】        図１
2010136943.tif 000002
【特許請求の範囲】
【請求項１】
骨に埋設する人工歯根部と、その人工歯根部の上部に連結するアバットメントとを備え、上記人工歯根部の上端部に形成した断面非円形の嵌合凹部に対し、上記アバットメント下部に形成した断面非円形の嵌合凸部を嵌合して連結するインプラントであって、
上記嵌合凹部の嵌合面にテーパを付けると共に、上記嵌合凸部の嵌合面にもテーパを付けることを特徴とするインプラント。
【請求項２】
上記人工歯根部の軸方向上部を、その軸方向上部よりも下側の径よりも大径とすると共に、該軸方向上部にだけ雄ねじを設けたことを特徴とする請求項１に記載したインプラント。
【請求項３】
上記人工歯根部における上記雄ねじを設けた部分よりも上側部分に対し、骨組織との結合を促進するための凹凸部を設けたことを特徴とする請求項２に記載したインプラント。
【発明の詳細な説明】
【技術分野】
【０００１】
本発明は、顎骨に固定する歯科用のインプラントに関する。
【背景技術】
【０００２】
従来のインプラントとしては、例えば特許文献１に記載したインプラントがある。このインプラントは、人工歯根部（フィクスチャー）とアバットメントとを嵌合して連結した状態で、中ねじで締結して固定するタイプのインプラントである。
具体的には、人工歯根部の外周面全周に雄ねじを形成すると共に、該人工歯根部の上端部に取付け用の凹部を形成する。その凹部は、下側の回転防止部と、その上側の内部テーパとからなる。回転防止部（内部六角部）は、咬合圧に対し垂直方向での回転を防止するもので、断面六角形形状、つまり非円形形状の筒状となっている。また、内部テーパは、咬合圧を受ける為のもので、断面円錐台形状となっている。
【０００３】
また、アバットメントには、上記取付け用の凹部に挿入する凸部が設けられている。その凸部は、上記回転防止部に挿入される断面六角形状の部分と、上記内部テーパに接触するテーパ嵌合部とからなる。
そして、上記取付け用の凹部にアバットメントの凸部を差し込み、中ねじを締め込むと、上記内部テーパにテーパ嵌合部が楔状に食い込む。
【特許文献１】特開２００４−１１３７１８号公報
【発明の開示】
【発明が解決しようとする課題】
【０００４】
上記従来のインプラントにおける人工歯根部とアバットメントの連結は、従来公知である、軸平行な面で構成される断面六角形状の回転防止部の上側にテーパロック部を設け、さらに人工歯根上部外側に別途テーパロックを設けたものである。すなわち、このインプラントは、アストラインプラントの機構に対し、人工歯根上部外側にテーパロック部を別途設けたものである。
このように、回転防止部の上側にテーパロック部を別途設けた機構となるので、その分、上記連結するための上記アバットメント取付け用の凹部を深くする必要があるし、更に、人工歯根上部外周にこのようなテーパロックを設けてしまうと、プラットホームスイッチングの利点が失われてしまう。
【０００５】
また、咬合圧に対し垂直方向の回転防止機構は、従来と同様に、人工歯根の軸平行な面からなる断面六角形状の部分であり、平行性の悪いケースに対して対応し難い。また、回転防止部の遊び分だけ、人工歯根部に対しアバットメントが回転変位する可能性がある。
また、２種類の断面形状を有する事から、その分、内部構造が複雑となる。
本発明は、人工歯根部の内部への入り込む長さを抑えつつ単純な内部構造によって、しっかりとした回転防止を確保することを課題としている。
【課題を解決するための手段】
【０００６】
上記課題を解決するために、本発明のうち請求項１に記載した発明は、骨に埋設する人工歯根部と、その人工歯根部の上部に連結するアバットメントとを備え、上記人工歯根部の上端部に形成した断面非円形の嵌合凹部に対し、上記アバットメント下部に形成した断面非円形の嵌合凸部を嵌合して連結するインプラントであって、上記嵌合凹部の嵌合面にテーパを付けると共に、上記嵌合凸部の嵌合面にもテーパを付けることを特徴とするインプラントを提供するものである。
【０００７】
次に、請求項２に記載した発明は、請求項１に記載した構成に対し、上記人工歯根部の軸方向上部を、その軸方向上部よりも下側の径よりも大径とすると共に、該軸方向上部にだけ雄ねじを設けたことを特徴とするものである。
次に、請求項３に記載した発明は、請求項２に記載した構成に対し、上記人工歯根部における上記雄ねじを設けた部分よりも上側部分に対し、骨組織との結合を促進するための凹凸部を設けたことを特徴とする。
【発明の効果】
【０００８】
嵌合凹部が断面非円形となっているので回転防止機構を構成する。その回転防止機構を構成する嵌合凹部自体の嵌合面にテーパを形成する結果、そのテーパを付けた嵌合面で、軸方向の荷重と回転方向の荷重の両方を受ける。
これによって、アストラインプラントの機構よりも短い人工歯根部の内部への入り込む長さを実現し且つ内部構造も複雑化することが無い。
【０００９】
また、上述のように、回転防止を行う面自体が楔結合することで、回転防止部の遊びも無くなり、人工歯根部に対するアバットメントのがたつき発生を抑えられる。すなわち、安定性が向上する。
また、回転防止を行う嵌合面自体にテーパを付けた事で、嵌合凹部に嵌合凸部を挿入しやすくなる。中ねじによる締付け時に、テーパによってセンタリング調整が行われる。
【００１０】
また、請求項２に係る発明では、人工歯根部の上部にだけ雄ねじ部を設けている。このため、骨に開口した下穴への人工歯根部の挿入時間を短縮することが出来る。
更に、大径とした上部の雄ねじで構成するセルフタップによって、数回回転させるだけで、皮質骨と初期固定を得ることができると共に、挿入深さの微調整が可能となる。なお、骨は２層構造となっていて、表層の方が硬い。
また、請求項３に係る発明では、人工歯根部の上部に所謂マイクロスレッドを構成する凹凸部を設ける事で、辺縁骨の吸収を小さく抑えることが可能となる。
【発明を実施するための最良の形態】
【００１１】
次に、本発明の実施形態について図面を参照しつつ説明する。
図１は、本実施形態に係るインプラントを示す断面図である。
（構成）
なお、インプラントを取り付ける骨は、上顎骨の場合もあるが、この明細書で、下部とは、インプラントの先端部側（骨に埋入側）とする。
本実施形態のインプラントは、人工歯根部１、アバットメント２、及び中ねじ３とを備える。
【００１２】
人工歯根部１は、図２〜図４に示すように、歯根部本体４と、その上部に設けた大径部５とに区分される。上記歯根部本体４の外径形状は円筒形状となっている。すなわち、本実施形態の人工歯根部１はシリンダタイプを基本とする。
その歯根部本体４の下端部４ａ（先端部）は、略円錐台形状となっている。但し、骨が入り込むことを期待する窪み４ｂが形成されている。
【００１３】
上記大径部５は、上記歯根部本体４から離れるほど大径となる円錐台形状部６と、その円錐台形状部６の上側に連続する円筒部７と、その円筒部７の上側の縮径部と、からなる。
そして、上記円錐台形状部６及び円筒部７に雄ねじが形成されている。円錐台形状部６に形成した雄ねじよりも、円筒部７の下半部に形成した雄ねじの方が、ねじ山を高く設定している。また、その円筒部７の下半分７ａに形成した雄ねじは、２条ねじから構成する。
【００１４】
ここで、成形容易にするため、円錐台形状部６及び円筒部７の上半分７ｂに雄ねじを形成しているが、細かい凹凸、ギザギザなどから構成しても良い。これらは、マイクロスレッドを構成している。マイクロスレッドは、辺縁骨部位でのピークストレスを軽減し、荷重を平均に分配する。また、円筒部７の下半分７ａに形成した雄ねじも、２条ねじである必要は無い。
【００１５】
ここで、上記雄ねじを形成する人工歯根部１の上部は、例えば、人工歯根部１の長さの１／２以下、若しくは１／３以下とする。雄ねじを設ける長さは、取付け位置にもよるが、１ｍｍ〜４ｍｍの範囲で設定すればよい。
その歯根部本体４の上端面には、有底孔８が開口している。その有底孔８は、有底側のねじ穴９と、ねじ側に連続する嵌合凹部と、その上側の肩部と、からなる。
【００１６】
上記ねじ穴９は、円筒状の穴である。嵌合凹部は、上記ねじ穴９よりも大径となっていると共に、断面略六角形状となっている。この嵌合凹部の断面略六角形状を構成する６つの平面が結合面１０，１１となる。上記各結合面１０，１１は、ねじ穴９側から順に、余裕代面１０と、それに連続する嵌合面１１とからなる。余裕代面１０は、人工歯根部１の軸と平行な垂直面となっている。嵌合面１１は、余裕代面１０に連続し、上側に向かうほど人工歯根部１の軸から離れるように傾斜したテーパが付いている。上記肩部１２は、上記嵌合凹部の最大径よりも大径の偏平な円錐台形状となっている。なお、隣り合う嵌合面１１の境界部にはアールが付けられているが、このアールは加工し易くするために付けたものである。
【００１７】
次に、アバットメント２を説明する。
アバットメント２は、図５に示すように、アバットメント本体１３と、アバットメント本体１３の下部に連続する嵌合凸部１４とからなる。
アバットメント本体１３の下部は、下側に向けて小径となる円錐台形状となっている。その円錐台形状の下部は、図１のように、上記人工歯根部１の肩部１２に嵌合する。
【００１８】
その円錐台形状の下部の下端面に上記嵌合凸部１４が形成される。嵌合凸部１４は、上記断面六角形状となっている。その嵌合凸部１４の断面略六角形状を構成する６つの平面が嵌合面１４ａとなっている。その嵌合面１４ａは、下側に向けて、アバットメント２の軸に近づくようにテーパが付いている。この嵌合凸部１４の形状は、嵌合凸部１４の形状と同形である。
また、アバットメント２には、軸に沿って貫通穴１５が開口している。貫通穴１５には、中ねじ３の頭３ａの座面が当接する座面部１５ａが形成されている。
【００１９】
（連結の構造）
人工歯根部１の有底穴に対し、アバットメント２の嵌合凸部１４を挿入する。
このとき、アバットメント２の嵌合面１４ａが、人工歯根部１側の嵌合面１１に案内されながら挿入されて、アバットメント２の各嵌合面１４ａが人工歯根部１側の嵌合面１１に接触する。
この状態で、上記アバットメント２の貫通穴１５に対し、図６に示すような中ねじ３を挿入し、中ねじ３を締め込む。
【００２０】
この締め込みにつれて、中ねじ３の頭３ａが貫通穴１５の座面部１５ａに当接し、更なる締め込みによって、相対的に、アバットメント２の各嵌合面１１が、人工歯根部１側の嵌合面１１に沿って下方に変位するように摺動して、嵌合面１１同士が強固に結合すると共に、アバットメント本体１３の円錐台形状の下部の下端面が、肩部１２の下端面に当接する。つまりアバットメント本体１３の下部が、肩部１２に嵌合する。
ここで、嵌合凹部には、嵌合面１１の下側に余裕代面１０を形成しているので、アバットメント２の各嵌合面１４ａが、人工歯根部１側の嵌合面１１にしっかりと摺動して噛み込むことを確保出来る。
この連結した状態が、図１の状態である。
【００２１】
（人工歯根部１の埋入）
ここで、上記人工歯根部１とアバットメント２の連結は、人工歯根部１を顎骨に埋入し、養生を終了した後に、実施する。
次に、人工歯根部１の顎骨への埋設作業について説明する。
まず、ドリルを使用して、骨に下穴を開口する。下穴は、例えば、歯根部本体４とほぼ同形の穴とする。
【００２２】
次に、下穴に人工歯根部１を挿入する。このとき、歯根部本体４までは、そのまま押し込むことで差し込む。続いて、雄ねじを設けた大径部５を下穴に埋入する際に、嵌合凹部をトルク入力部として、人工歯根部１を下穴にねじ込む。このとき、大径部５のうち、歯根部本体４から離れるほど大径となる円錐台形状部６が徐々にねじ込まれ、更に、ねじ山が大きな円筒部７の下半分７ａの位置の雄ねじを数回ねじ込むことで、皮質骨と強固な初期固定を得ることが出来る。
このねじ込み時において、最初に円錐台形状部６が徐々にねじ込まれることで、人工歯根部１の下穴に対するセンタリングが実施される。
このように、人工歯根部１を骨に埋入し養生した後に、上述のようにアバットメント２を連結する。
【００２３】
この状態では、人工歯根部１とアバットメント２との境界部にプラットホームスイッチングが形成されて、ロート状骨吸収の防止が図られる。
また、人工歯根部１の上部に形成したマイクロスレッドで、皮質骨と強固な骨接触を得ることでも、人工歯根部１の骨への固定が強くなる。
また、人工歯根部１の先端部が骨内部に位置する場合には、人工歯根部１の先端部に設けた窪みに骨が入り込む事で、余剰骨片の影響による浮き上がり防止が図られる。
【００２４】
（本実施形態の効果）
嵌合凹部が断面非円形となっているので回転防止機構を構成する。ここで、断面非円形の例示として断面六角形状を例示したが、断面八角形状など他の断面非円形形状としても良い。
上記回転防止機構を構成する嵌合凹部自体の嵌合面１１にテーパを形成する結果、そのテーパを付けた嵌合面１１で、軸方向荷重と回転方向の荷重の両方を受ける。
これによって、アストラインプラントの機構よりも短い人工歯根部１の内部への入り込みを実現し、且つ内部構造も複雑化することが無い。
【００２５】
また、上述のように、回転防止を行う面自体が楔結合することで、回転防止部の遊びも無くなり、人工歯根部１に対するアバットメント２のがたつき発生を抑えられる。すなわち、安定性が向上する。
また、回転防止を行う嵌合面１１、１４ａ自体にテーパを付けた事で、嵌合凹部に嵌合凸部１４を挿入しやすくなる。また、中ねじ３による締付け時に、テーパによってセンタリング調整が行われる。
【００２６】
また、人工歯根部１の上部にだけ雄ねじを設けている。このため、骨に開口した下穴への人工歯根部１の挿入時間を短縮することが出来る。
更に、大径とした上部の雄ねじで構成するセルフタップによって、数回回転させるだけで、皮質骨と初期固定を得ることができると共に、挿入深さの微調整が可能となる。
更に、サイナスリフトやソケットリフトなどの特殊な手術においても同様に、強固な初期固定を得ること可能である。
【図面の簡単な説明】
【００２７】
【図１】本発明に基づく実施形態に係るインプラントを示す断面図である。
【図２】本発明に基づく実施形態に係る人工歯根部を示す斜視図である。
【図３】本発明に基づく実施形態に係る人工歯根部を示す断面図である。
【図４】図３におけるＣ−Ｃ断面図である。
【図５】本発明に基づく実施形態に係るアバットメントを示す断面図である。
【図６】本発明に基づく実施形態に係る中ねじを示す図である。
【符号の説明】
【００２８】
１    人工歯根部
２    アバットメント
３    中ねじ
３ａ  頭
４    歯根部本体
４ａ  下端部
５    大径部
６    円錐台形状部
７    円筒部
７ａ  下半分
７ｂ  上半分
８    有底孔
９    ねじ穴
１０，１１  結合面
１０  余裕代面
１１  嵌合面
１２  肩部
１３  アバットメント本体
１４  嵌合凸部
１４ａ      嵌合面
１５  貫通穴
【図１】
2010136943.tif 000003
【図２】
2010136943.tif 000004
【図３】
2010136943.tif 000005
【図４】
2010136943.tif 000006
【図５】
2010136943.tif 000007
【図６】
2010136943.tif 000008